(57)【要約】    【課題】  曲面となっている自動車などの車両のボディの清掃が確実且つ効率良く行なえる清掃具を提供する。    【解決手段】  底面が略椀状に窪む平面視略円形の押圧部材と、この押圧部材の少なくとも底面側に取り付けられる清掃部材とから成り、押圧部材の外周縁部には、それぞれ個別に弾性的に撓む撓み部が複数設けられ、押圧部材の上面には、手の装着部が設けられ、また清掃部材がベース部材に対して取り外し可能とした。  【選択図】  図２
0003105233.tif 000002
【実用新案登録請求の範囲】
【請求項１】
底面が略椀状に窪む平面視略円形の押圧部材と、この押圧部材の少なくとも底面側に取り付けられる清掃部材とから成り、押圧部材の外周縁部には、それぞれ個別に弾性的に撓む撓み部が複数設けられ、押圧部材の上面には、手の装着部が設けられていることを特徴とする車両用清掃具。
【請求項２】
清掃部材がベース部材に対して取り外し可能であることを特徴とする請求項１に記載の車両用清掃具。
【請求項３】
清掃部材が布から構成されていることを特徴とする請求項１または２に記載の車両用清掃具。
【考案の詳細な説明】
【技術分野】
【０００１】
本考案は、主として、自動車のボディを清掃するのに用いる清掃具に関する。
【背景技術】
【０００２】
一般に、自動車のボディを清掃するのに用いる清掃具として、例えば、平面視長方形の偏平状の押圧プレートと、この押圧プレートの下面を覆うマット状の清掃部材とから構成し、押圧プレートの上面に設けた把手を手で持って、清掃部材により自動車のボディの外面を適宜清掃するようにしたものが開発されている。（実用新案登録文献１参照）
【特許文献１】実用新案登録第３０８３７３７号
【０００３】
ところで前述の公報に開示されている清掃具にあっては、清掃部材を自動車のボディに押し付けるための押圧プレートが平面視長方形で且つ偏平状であるため、曲面となっている自動車のホディを清掃するに際しては、押圧プレートを介して清掃部材を曲面のホディに押し付ける際、ホディに対して清掃部材が押し付けられる部位が小さく、そのため清掃効率が悪く、清掃に手間がかかるという問題がある。
【考案の開示】
【考案が解決しようとする課題】
【０００４】
本考案は以上の実情に鑑みて開発されてもので、目的とするところは、曲面となっている自動車などの車両のボディの清掃が確実且つ効率良く行なえる清掃具を提供することにある。
【課題を解決するための手段】
【０００５】
前記した目的を達成するために、請求項１に記載の考案は、底面が略椀状に窪む平面視略円形の押圧部材と、この押圧部材の少なくとも底面側に取り付けられる清掃部材とから成り、押圧部材の外周縁部には、それぞれ個別に弾性的に撓む撓み部が複数設けられ、押圧部材の上面には、手の装着部が設けられていることを特徴とするものである。
【０００６】
請求項２に記載の考案は、請求項１に記載の車両用清掃具において、清掃部材がベース部材に対して取り外し可能であることを特徴とするものである。
【０００７】
また請求項３に記載の考案は、請求項１または２に記載の車両用清掃具において、清掃部材が布から構成されていることを特徴とするものである。
【考案の効果】
【０００８】
請求項１に記載の考案によれば、例えば自動車の曲面となっているボディを清掃するに際して、そのボディに押圧部材を押し付けるに伴い、清掃部材における少なくとも押圧部の全周縁部位と対応する部位が確実にボディに押し付けられるので、効率良くしかも確実にボディの清掃を行なうことが出来る。
【０００９】
また請求項２に記載の考案によれば、請求項１に記載の考案の効果に加え、清掃部材を押圧部材に対して取り外して、洗濯したり、あるいは別途用意した清掃部材と取り替えて、洗浄、ワックス塗付、ワックスの拭き取りなど清掃の目的に合わせて交換することが出来るし、また使用した清掃部材の洗濯なども容易に行なうことが出来る。
【００１０】
また請求項３に記載の考案によれば、請求項１または２に記載の考案の効果に加え、使用した清掃部材の洗濯が例えば洗濯機などで簡単に行なうことが出来る。
【考案を実施するための最良の形態】
【００１１】
以下、本考案の実施形態について図面を参照しながら説明する。
【００１２】
図１は、本考案にかかる車両用清掃具の一実施形態を示す平面図、図２はその横断面図であって、符号１で示すこの車両用清掃具は、主として自動車のボディを拭くために用いるもので、基本的には、底面が略椀状に上方に窪む平面視略円形の押圧部材２と、この押圧部材の底面側に取り付けられる清掃部材３とから構成されている。
【００１３】
押圧部材２は、合成樹脂材料から形成され、図２及び図３にも示すように、平面から見て円形に形成され、且つ浅い椀を伏せたような形状とし、その底面が上方に向かって略椀状に窪んでいる。
【００１４】
この押圧部材２の上面には、手に装着するための装着部４を構成する合成ゴム製のバンド４０が取り付けられて、このバンド４０と押圧部材２の上面との間に手を挿入するようにしている。
【００１５】
バンド４０は、その長さ方向両端部を、押圧部材２に設けた一対の挿入係止孔２１に挿入係止するように成すと共に、その挿入長さを変更可能とすることで、一対の挿入係止孔２１間のバンド４０の長さを任意調整可能としている。
【００１６】
また押圧部材２の外周には、図２及び図３にも示すように、平面から見て略Ｔ字状のスリット２２を等間隔に複数形成して、これらスリット２２間に、それぞれ個別に弾性的に撓むことが可能な平面視略Ｔ字状の撓み部２３を複数設けている。
【００１７】
清掃部材３は、基本的には、押圧部材２の底面側を覆う円形の清掃部３１と、押圧部材２の上面周縁部位を覆う平面視環状のカバー部３２とが備えられ、清掃部３１は、基布に編みこんだループパイルをその先端でカットした上で起毛させて、その表面全面に毛足の長い起毛部３１ａを設けた布地から形成し、カバー部３２は、綿製の布地から形成している。
【００１８】
またカバー部３２の内周には、紐３３の挿入部３４が周設され、この挿入部３４内に紐３３を挿入すると共に、挿入部３４の途中の引き出し口（図示せず）より外部に引き出された紐３３の長さ方向両端部を更に挿入部３４から引き出し、その引出し部分の根元をクリップ部材３５でクリップして、カバー部３２の内周を縮径させることで、清掃部材３を押圧部材２に装着するようにしている。
【００１９】
以上の構造からなる清掃具により、自動車の曲面となっているホディ外面に塗付されたワックスを拭き取る作業を行なう場合には、まず、挿入部４を構成するバンド４０と押圧部材２の上面との間に手を挿入する。
【００２０】
この時、バンド４０と押圧部材２の上面との間の隙間が広すぎたり、あるいは狭すぎる場合には、バンド４０の長さ方向両端部の挿入係止孔２１への挿入長さを変更することで、バンドの長さを適宜調整する。
【００２１】
そして、手に装着した押圧部材２をボディに押し付けながら、ボディ外面に沿って押圧部材２を動かせばよいのであって、この時、押圧部材をボディに押し付けるに伴い、複数の撓み部がそれぞれボディの曲面に沿うように弾性的に撓んで、少なくとも清掃部材３における清掃部３１の全周にわたる起毛部３１ａ、換言すれば押圧部材２の撓み部２３が設けられた全周縁部位と対応する部位の起毛部３１ａが確実にボディに押し付けられるのである。
【００２２】
斯くして、手を汚すようなことなく、しかも効率良く自動車のボデイに塗られたワックスの拭き取り作業を行うことが出来る。
【００２３】
一方、例えば押圧部材２に装着されている清掃部材３を取り換えたい場合には、クリプ部材３５によるクリップの解除により、絞り込んでいた紐３３を緩めて、カバー部３２の内周を拡径させることで、清掃部材２を押圧部材３から取り外し、別に用意した清掃部材３を再度押圧部材２に装着すればよいのであって、これにより、清掃部材３を押圧部材２から取り外して容易に洗濯したり、あるいは別途用意した清掃部材３と取り替えることで、洗浄、ワックス塗付、ワックスの拭き取りなど清掃の目的に合わせて清掃部材３を簡単に交換することが出来る。
【００２４】
尚、以上の清掃具１は、自動車のボディのほかに、ウインドガラスの清掃や自動車の室内の清掃にも使用できる。
【００２５】
以上の実施形態では、自動車を清掃するのに用いたが、これに限定されるものではなく、例えば電車などの清掃にも用いてもよい。
【００２６】
また以上の実施形態では、押圧部材２を平面視円形に形成したが、楕円形に形成してもよい。
【図面の簡単な説明】
【００２７】
【図１】本考案にかかる車両用清掃具の一実施形態を示す平面図。
【図２】同、横断面図。
【図３】本考案にかかる車両用清掃具を構成する押圧部材の平面図。
【図４】同、底面図。
【符号の説明】
【００２８】
１      車両用清掃具
２      押圧部材
２２    スリット
２３    撓み部
３      清掃部材
３１    清掃部
３２    カバー部
４      装着部
【図１】
0003105233.tif 000003
【図２】
0003105233.tif 000004
【図３】
0003105233.tif 000005
【図４】
0003105233.tif 000006